(57)【要約】      （修正有）【課題】夜間の反射輝度に優れ、視認性がよく、リュックサック、カバン、ハンドバッグ、ショッピングバッグ、塾バッグ、携帯端末などに吊り下げて使用するマスコット玩具を提供する。【解決手段】マスコット玩具は、吊下げ部材と、吊下げ部材の一端に吊り下げられ、光反射性布帛を縫い合わせて袋状とし内部に詰物をしたぬいぐるみとから構成される。光反射性布帛は、表側と裏側の両面が光反射性を有することが好ましい。【選択図】図１
0003152901.tif 000002
【実用新案登録請求の範囲】
【請求項１】
吊下げ部材と、前記吊下げ部材の一端に吊り下げられ、光反射性布帛を縫い合わせて袋状とし内部に詰物をしたぬいぐるみと、からなることを特徴とするマスコット玩具。
【請求項２】
前記光反射性布帛は、表側と裏側ともに光反射性を有することを特徴とする請求項１に記載のマスコット玩具。
【考案の詳細な説明】
【技術分野】
【０００１】
本考案は、マスコット玩具に係り、より詳細には、夜間の反射輝度に優れ、視認性がよく、リュックサック、カバン、ハンドバッグ、ショッピングバッグ、塾バッグなどに吊り下げて使用するマスコット玩具に関する。
【背景技術】
【０００２】
特許文献１に示されるように、光反射性布帛は、繊維からなる布帛（ふはく）にアルミニウム等を空蒸着し、その上に透明ガラスビーズを含有するポリウレタン樹脂層をコーティングしたもので、安価に製造でき、かつ柔軟性があって縫製もしやすい。なお、再帰性反射性能はビーズより劣るが、ビーズを使用しないノンビーズタイプもある。
【０００３】
このような、光反射性布帛は、ウインドブレーカーやトレーニングウェア等に縫い付けられ、車のヘッドライトの光などに反射するので、夜間に歩行やジョギングをする人の交通事故防止に役立っている。
【０００４】
特許文献２に示すように、ぬいぐるみは、所定の形状に裁断した布を縫い合わせて袋状とし、内部に繊維やペレットを詰め込んで製造される。しかしながら、これまでぬいぐるみは、布に光反射性布帛を使用したものがなかった。人形、動物、小物などマスコットとしてリュックサックやカバンなどに取り付けられ、夜間での視認性が向上すれば、交通事故防止に役立つことが期待される。
【先行技術文献】
【特許文献】
【０００５】
【特許文献１】特開平８−１５８２６９号公報  「光反射性布帛の製造法」
【特許文献２】特開２０００−２１８０５８号公報  「ぬいぐるみ及びその製造法」
【考案の概要】
【考案が解決しようとする課題】
【０００６】
本考案の目的は、このようなニーズを背景になされたものであり、外からの光に反射し、夜間での視認性に優れたマスコット玩具を提供することにある。
【課題を解決するための手段】
【０００７】
上記の目的を達成するため、本考案によるマスコット玩具は、吊下げ部材と、前記吊下げ部材の一端に吊り下げられ、光反射性布帛を縫い合わせて袋状とし内部に詰物をしたぬいぐるみと、からなることを特徴とする。
【０００８】
前記光反射性布帛は、表側と裏側ともに光反射性を有することが好ましい。
【考案の効果】
【０００９】
本考案によるマスコット玩具は、光反射性布帛をぬいぐるみの布地に使用したので、外からの光に反射して夜間での視認性に優れたものとできる。カバンやリュックに係止リングで吊り下げられるので、揺れた場合でも光が反射され、視認性を高めることができる。
【００１０】
表側と裏側ともに光反射性を有する光反射性布帛は、魚のヒレや小動物の耳となるような部材に適しており、縫い合わせて袋状にする必要がなく、所定の形状に裁断後、そのまま縫い合わせて取り付けることができる。これにより、光はどちらの側でも反射する。
【考案を実施するための形態】
【００１１】
以下、図面を参照して本考案によるマスコット玩具を説明する。
【実施例】
【００１２】
図１は、本考案によるマスコット玩具の外観図（構成例１）である。マスコット玩具１０は、係止リング４と、係止リング４に一端が連結されるストラップ５と、ストラップ５の他端に吊り下げられるぬいぐるみ２からなる。係止リング４とストラップ５が吊下げ部材８となっている。構成例１は、象２ａのぬいぐるみである。ぬいぐるみ２は光反射性布帛１を縫い合わせて袋状とし内部に詰物をしたものである。縫製して袋状とし裏返しにする。符号３は縫い目である。手の先端などは、光反射性布帛１ではなく通常の色付き布を使用している。
【００１３】
図２は、本考案によるマスコット玩具の外観図（構成例２）である。構成例２はトカゲ２ｂのぬいぐるみである。Ａ−Ａ断面を引出円の中に示す。ぬいぐるみ２の内部には、繊維の詰物６を充填してふくらみを持たせている。両端の縫い目３は、袋状とされるため内部に隠れる。この例では、ストラップ５が吊下げ部材８となっている。係止リング４は取り付けていない。もちろん、係止リング４をストラップ５に取り付けてもよい。
【００１４】
図３は、本考案によるマスコット玩具の外観図（構成例３）である。構成例３は頭足人形２ｃのぬいぐるみである。光反射性布帛１を丸くて大きな形状にできるので、光が当たった時の視認性がよい。
【００１５】
図４は、本考案によるマスコット玩具の外観図（構成例４）である。構成例４は犬２ｄのぬいぐるみである。耳の部分の光反射性布帛１は、引出円の中に示すように、両面（表側１ａと裏側１ｂで示す）が、共に光反射性を有する。これによれば、耳部は袋状にする必要がなく、シート状の耳片の一端を頭部の縫い合わせに時に一緒に縫い込むことで作ることができる。耳片を折り曲げて、両側を縫い込むようにしてもよい。なお、両面が光反射性を有する布帛は、片面に光反射性を有する布帛は貼り合わせてもよいし、両面に光反射性を持たせた層を形成した布帛でもよい。
【００１６】
図５は、マスコット玩具をリュックサックに取り付けた場合の外観図である。リュックサック７に、象２ａのマスコット玩具１０とサッカーボール２ｅのマスコット玩具１０を係止リング４で取り付けた例である。マスコット玩具１０は、車や自転車の前照灯の光を受けて反射するため衝突回避の一助とできる。
【産業上の利用可能性】
【００１７】
本考案は、交通事故防止に役立つマスコット玩具として好適である。
【図面の簡単な説明】
【００１８】
【図１】本考案によるマスコット玩具の外観図である。（構成例１）
【図２】本考案によるマスコット玩具の外観図である。（構成例２）
【図３】本考案によるマスコット玩具の外観図である。（構成例３）
【図４】本考案によるマスコット玩具の外観図である。（構成例４）
【図５】本考案によるマスコット玩具をリュックサックに取り付けた場合の外観図である。
【符号の説明】
【００１９】
１    光反射性布帛
１ａ    表
１ｂ    裏
２    ぬいぐるみ
２ａ    象
２ｂ    トカゲ
２ｃ    頭足人形
２ｄ    犬
２ｅ    サッカーボール
３    縫い目
４    係止リング
５    ストラップ
６    詰物
７    リュックサック
８    吊下げ部材
１０    マスコット玩具
【図１】
0003152901.tif 000003
【図２】
0003152901.tif 000004
【図３】
0003152901.tif 000005
【図４】
0003152901.tif 000006
【図５】
0003152901.tif 000007
【手続補正書】
【提出日】平成21年6月12日(2009.6.12)
【手続補正１】
【補正対象書類名】図面
【補正対象項目名】全図
【補正方法】変更
【補正の内容】
【図１】
0003152901.tif 000008
【図２】
0003152901.tif 000009
【図３】
0003152901.tif 000010
【図４】
0003152901.tif 000011
【図５】
0003152901.tif 000012